【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】画像入出力方法及び画像入出力装置
【手続補正２】
【補正対象書類名】明細書
【補正対象項目名】特許請求の範囲
【補正方法】変更
【補正の内容】
【特許請求の範囲】
【請求項１】  少なくとも１つの画像読取部から画像データを入力し、入力した画像データを少なくとも１つの画像印刷部に出力する画像入出力方法であって、
実行すべき一単位のコピー処理を、画像読取部から画像データを入力する画像入力ジョブと画像印刷部へ画像データを出力する画像出力ジョブに分けるステップと、
分けられた画像入力ジョブと画像出力ジョブの実行を独立に制御するステップと、
前記分けられた先行する画像入力ジョブの終了を判定するステップと、
前記先行する画像入力ジョブの終了を判定した後、先行する画像入力ジョブに関連した画像出力ジョブを実行中であっても新たな画像入力ジョブの開始を許可するステップとを有することを特徴とする画像入出力方法。
【請求項２】  画像入力ジョブは前記画像読取部から画像データを入力し、画像記憶部に記憶するジョブであり、画像出力ジョブは画像記憶部から画像データを読み出し、前記画像印刷部に出力するジョブであることを特徴とする請求項１に記載の画像入出力方法。
【請求項３】  分けられた画像入力ジョブと画像出力ジョブをそれぞれ管理するための情報を保持する複数の管理テーブルを作成するステップを、更に有することを特徴とする請求項１に記載の画像入出力方法。
【請求項４】  作成された複数の管理テーブルに保持された情報に従って、前記制御ステップにおいて、分けられた画像入力ジョブと画像出力ジョブのそれぞれの実行を独立に制御することを特徴とする請求項３に記載の画像入出力方法。
【請求項５】  少なくとも画像読取部から画像データを入力する入力手段と、
画像データを少なくとも画像印刷部に出力する出力手段と、
実行すべき一単位の画像処理を表わす画像処理パラメータを取り込む取込手段と、
前記取込手段により取り込んだ画像処理パラメータに従って、画像データの入力及び画像データの出力を制御する制御手段とを有し、
前記制御手段は、前記取込手段により取り込んだ画像処理パラメータにより実行されるべき前記画像読取部からの画像データを前記画像印刷部で出力する一単位のコピー処理を、前記入力手段により画像データを入力する画像入力ジョブと前記出力手段により画像データを出力する画像出力ジョブに分け、
分けられた画像入力ジョブと画像出力ジョブの実行を独立に制御し、
更に、前記分けられた先行するジョブの終了を判定し、前記先行する画像入力ジョブの終了を判定した後、先行する画像入力ジョブに関連した画像出力ジョブを実行中であっても、新たな画像入力ジョブの開始を許可することを特徴とする画像入出力装置。
【請求項６】  画像データを記憶する記憶手段を更に有し、
画像入力ジョブは前記入力手段により入力した画像データを前記画像記憶手段に記憶するジョブであり、画像出力ジョブは前記画像記憶手段から読み出した画像データを前記出力手段により出力するジョブであることを特徴とする請求項５に記載の画像入出力装置。
【請求項７】  前記制御手段は、分けられた画像入力ジョブと画像出力ジョブをそれぞれ管理するための情報を保持する複数の管理テーブルを有することを特徴とする請求項５に記載の画像入出力装置。
【請求項８】  前記制御手段は、前記複数の管理テーブルに保持された情報に従って、分けられた画像入力ジョブと画像出力ジョブのそれぞれの実行を独立に制御することを特徴とする請求項７に記載の画像入出力装置。
【手続補正３】
【補正対象書類名】明細書
【補正対象項目名】０００１
【補正方法】変更
【補正の内容】
【０００１】
【発明の属する技術分野】
本発明は、画像読取部からの画像データを入力し、画像印刷部から画像データを出力する画像入出力方法及び画像入出力装置に関するものである。
【手続補正４】
【補正対象書類名】明細書
【補正対象項目名】０００５
【補正方法】変更
【補正の内容】
【０００５】
【課題を解決するための手段】
本発明は、上述のような問題点に着目してなされたもので、本発明の目的は、画像読取部から入力した画像データを画像印刷部から出力する際に、複数のユーザーが依頼する各々の処理の開始から所望の結果を得るまでの待ち時間の少ない画像入出力方法及び装置を提供することにある。
【手続補正５】
【補正対象書類名】明細書
【補正対象項目名】０００６
【補正方法】変更
【補正の内容】
【０００６】
即ち、本発明は少なくとも１つの画像読取部から画像データを入力し、入力した画像データを少なくとも１つの画像印刷部に出力する画像入出力方法であって、実行すべき一単位のコピー処理を、画像読取部から画像データを入力する画像入力ジョブと画像印刷部へ画像データを出力する画像出力ジョブに分けるステップと、分けられた画像入力ジョブと画像出力ジョブの実行を独立に制御するステップと、前記分けられた先行する画像入力ジョブの終了を判定するステップと、前記先行する画像入力ジョブの終了を判定した後、先行する画像入力ジョブに関連した画像出力ジョブを実行中であっても新たな画像入力ジョブの開始を許可するステップとを有することを特徴とする画像入出力方法を提供するものである。
【手続補正６】
【補正対象書類名】明細書
【補正対象項目名】０００７
【補正方法】変更
【補正の内容】
【０００７】
また、本発明は少なくとも画像読取部から画像データを入力する入力手段と、画像データを少なくとも画像印刷部に出力する出力手段と、実行すべき一単位の画像処理を表わす画像処理パラメータを取り込む取込手段と、前記取込手段により取り込んだ画像処理パラメータに従って、画像データの入力及び画像データの出力を制御する制御手段とを有し、前記制御手段は、前記取込手段により取り込んだ画像処理パラメータにより実行されるべき前記画像読取部からの画像データを前記画像印刷部で出力する一単位のコピー処理を、前記入力手段により画像データを入力する画像入力ジョブと前記出力手段により画像データを出力する画像出力ジョブに分け、分けられた画像入力ジョブと画像出力ジョブの実行を独立に制御し、更に、前記分けられた先行するジョブの終了を判定し、前記先行する画像入力ジョブの終了を判定した後、先行する画像入力ジョブに関連した画像出力ジョブを実行中であっても、新たな画像入力ジョブの開始を許可することを特徴とする画像入出力装置を提供するものである。
【手続補正７】
【補正対象書類名】明細書
【補正対象項目名】０１２２
【補正方法】変更
【補正の内容】
【０１２２】
【発明の効果】
以上説明したように、画像読取部から入力した画像データを画像印刷部から出力する際に、一単位のコピー処理を、画像読取部から画像データを入力する画像入力ジョブと画像印刷部から出力する画像出力ジョブとに分け、先行する画像入力ジョブが終了したと判定した後に、先行する画像入力ジョブに関連する画像出力実行中であっても新たな画像入力ジョブの開始を許可するので、先行する画像出力ジョブの終了まで後続の画像入力ジョブを待つ必要がなく、複数のユーザーが依頼する各々の処理の開始から所望の結果を得るまでの待ち時間の少ない画像入出力方法及び装置を提供することが可能である。
【手続補正８】
【補正対象書類名】明細書
【補正対象項目名】０１２３
【補正方法】削除
【補正の内容】